(57)【特許請求の範囲】
【請求項１】
流下面の支持体となる下地板の端部と前記下地板に交差する側壁部とのコーナー部に配置されるコーナー水切り材であって、
前記下地板の上方に重ねられる設置片部と、
前記設置片部の水下側の縁部から下方に向けて形成される導水部とを備え、
前記導水部は、流下面となる床面部と、前記床面部と前記設置片部との間を塞ぐ第１側面部と、前記床面部を挟んで前記第１側面部に対向する第２側面部とを有することを特徴とするコーナー水切り材。
【請求項２】
前記設置片部の端部から前記側壁部に沿って上方に向けて延伸される側片部を設けたことを特徴とする請求項１に記載のコーナー水切り材。
【請求項３】
前記側壁部に沿って水下側に向けて延伸される前記側片部と、前記側壁部に向けて延伸される前記第２側面部とによって隅角部が形成されることを特徴とする請求項２に記載のコーナー水切り材。
【請求項４】
遮蔽板状部材が組み込まれた屋根パネルであって、
側縁を形成するために略平行に配置される一対の屋根フレームと、
前記屋根フレーム間を塞ぐように配置される屋根ふき材と、
前記屋根ふき材の上方を跨ぐように前記屋根フレームに固定される前記遮蔽板状部材と、
前記屋根フレームの長手方向に向けた勾配が形成されるように前記一対の屋根フレームの内側面側に形成されるガイド部とを備え、
前記ガイド部は、前記一対の屋根フレームにそれぞれ固定される支持材と、それらの支持材に両側縁を支持させる下地板とを有し、
前記下地板の上方に重ねられる設置片部と、前記設置片部の水下側の縁部から下方に向けて形成される導水部とを備えたコーナー水切り材を前記下地板と前記屋根フレームとのコーナー部に取り付けることを特徴とする屋根パネル。
【請求項５】
遮蔽板状部材が組み込まれた屋根パネルであって、
側縁を形成するために略平行に配置される一対の屋根フレームと、
前記屋根フレーム間を塞ぐように配置される屋根ふき材と、
前記屋根ふき材の上方を跨ぐように前記屋根フレームに固定される前記遮蔽板状部材と、
前記屋根フレームの長手方向に向けた勾配が形成されるように前記一対の屋根フレームの内側面側に形成されるガイド部とを備え、
前記ガイド部は、前記一対の屋根フレームにそれぞれ固定される支持材と、それらの支持材に両側縁を支持させる下地板とを有し、
請求項１乃至３のいずれか一項に記載のコーナー水切り材を前記下地板と前記屋根フレームとのコーナー部に取り付けることを特徴とする屋根パネル。
【請求項６】
前記遮蔽板状部材が太陽電池モジュールであることを特徴とする請求項４又は５に記載の屋根パネル。
【請求項７】
前記屋根ふき材は前記下地板に支持されるとともに、前記屋根ふき材の上面は前記遮蔽板状部材の下面から離隔していることを特徴とする請求項４乃至６のいずれか一項に記載の屋根パネル。
【請求項８】
請求項４乃至７のいずれか一項に記載の屋根パネルを、水平方向に延びる梁材の上に設置することによって構築されることを特徴とする建物の屋根構造。
【発明の詳細な説明】
【技術分野】
【０００１】
本発明は、建物の陸屋根やバルコニーや庇などにおいて、雨水などの流下面の下地板の端部とそれに交差する側壁部とのコーナー部に配置されるコーナー水切り材、並びにそれが取り付けられた屋根パネル及び建物の屋根構造に関するものである。
【背景技術】
【０００２】
建物の屋根に降った雨水は、屋根ふき材などで形成される流下面を流れて軒樋に流れ込んで排水される。このため、屋根ふき材の水下側の縁部に沿って、特許文献１に開示されているような水切り材が配置される。
【０００３】
また、水切り材の下方には、特許文献２に開示されているように屋根の縁部に沿って軒樋が取り付けられる。さらに、特許文献３には、水切りと軒樋とを備えた雨樋付き屋根構造が開示されている。
【０００４】
一方、特許文献４には、屋根の妻側端部であるケラバに沿って設置される水切り部の構造が開示されている。また、特許文献５には、外壁と下屋の傾斜屋根とのコーナー部に、外壁側への水の流れを阻止するための断面Ｌ字状の水下用水切りシートが開示されている。
【０００５】
要するに、特許文献１−３には、傾斜屋根の横方向の水切り材が開示され、特許文献４には、傾斜屋根の縦方向の水切り材が開示され、特許文献５には、傾斜屋根のコーナー部の水切り材が開示されている。
【先行技術文献】
【特許文献】
【０００６】
【特許文献１】特開２０１３−８７４４８号公報
【特許文献２】特開２０００−１９９３０７号公報
【特許文献３】特開２００７−２０４９７５号公報
【特許文献４】実開平２−１４７５２０号公報
【特許文献５】実開平３−２８２３０号公報
【発明の概要】
【発明が解決しようとする課題】
【０００７】
しかしながら特許文献１−５のように勾配のある傾斜屋根の場合には、流下する水の流れに勢いがあるため、横方向の水切り材と縦方向の水切り材だけでも充分な排水構造を構成することができる。また、コーナー部には、特許文献５に開示されたような外壁側への水漏れを阻止するだけの水切り材を配置すればよい。
【０００８】
これに対して陸屋根や緩勾配の傾斜屋根では、水が一方向に流れにくくなるので、コーナー部に水が溜まりやすくなる。コーナー部に水が溜まると、屋根躯体部へ水がまわり込む漏水が起きやすくなる。
【０００９】
そこで、本発明は、勾配が緩やか又は水平に近い流下面であっても、コーナー部まで充分に排水が行えるコーナー水切り材、並びにそれが取り付けられた屋根パネル及び建物の屋根構造を提供することを目的としている。
【課題を解決するための手段】
【００１０】
前記目的を達成するために、本発明のコーナー水切り材は、流下面の支持体となる下地板の端部と前記下地板に交差する側壁部とのコーナー部に配置されるコーナー水切り材であって、前記下地板の上方に重ねられる設置片部と、前記設置片部の水下側の縁部から下方に向けて形成される導水部とを備えたことを特徴とする。
【００１１】
ここで、前記導水部は、流下面となる床面部と、前記床面部と前記設置片部との間を塞ぐ第１側面部と、前記床面部を挟んで前記第１側面部に対向する第２側面部とを有する構成とすることができる。
【００１２】
また、前記設置片部の端部から前記側壁部に沿って上方に向けて延伸される側片部を設けることができる。さらに、前記側壁部に沿って水下側に向けて延伸される前記側片部と、前記側壁部に向けて延伸される前記第２側面部とによって隅角部が形成される構成とすることが好ましい。
【００１３】
また、本発明の屋根パネルは、遮蔽板状部材が組み込まれた屋根パネルであって、側縁を形成するために略平行に配置される一対の屋根フレームと、前記屋根フレーム間を塞ぐように配置される屋根ふき材と、前記屋根ふき材の上方を跨ぐように前記屋根フレームに固定される前記遮蔽板状部材と、前記屋根フレームの長手方向に向けた勾配が形成されるように前記一対の屋根フレームの内側面側に形成されるガイド部とを備え、前記ガイド部は、前記一対の屋根フレームにそれぞれ固定される支持材と、それらの支持材に両側縁を支持させる下地板とを有し、上記のコーナー水切り材を前記下地板と前記屋根フレームとのコーナー部に取り付けることを特徴とする。
【００１４】
ここで、前記遮蔽板状部材が太陽電池モジュールであってもよい。また、前記屋根ふき材は前記下地板に支持されるとともに、前記屋根ふき材の上面は前記遮蔽板状部材の下面から離隔している構成であってもよい。
【００１５】
そして、本発明の建物の屋根構造は、上記いずれかに記載の屋根パネルを、水平方向に延びる梁材の上に設置することによって構築されることを特徴とする。
【発明の効果】
【００１６】
このように構成された本発明のコーナー水切り材は、下地板の端部とそれに交差する側壁部とのコーナー部に配置される。そして、下地板の上方に重ねられる設置片部と、その水下側の縁部から下方に向けて形成される導水部とを備えている。
【００１７】
このため、勾配が緩やか又は水平に近い流下面でコーナー部に水が集まってきても、速やかに流下させる充分な排水機能を備えた排水構造を簡単に構築することができる。
【００１８】
また、導水部を、流下面となる床面部とその両側の第１側面部及び第２側面部とによって形成させることで、確実に軒樋などまでに水を導くことができるようになる。
【００１９】
さらに、下地板への設置片部の端部から側壁部に沿って上方に向けて延伸される側片部を設けることによって、流下面を流下する水量が増えても充分に排水を行うことができるようになる。そして、側片部と第２側面部とによって隅角部が形成されていれば、コーナー部に集まってきた水をスムーズに導水部に導くことができる。
【００２０】
また、本発明の屋根パネルは、屋根フレームの内側面側に勾配に合わせたガイド部を設けておき、そのガイド部に屋根ふき材を支持させることで、屋根ふき材の上面に屋根フレームの長手方向に向けた所望する勾配を形成することができる。さらに、ガイド部を、屋根フレームにそれぞれ固定される支持材と、それらの支持材に両側縁を支持させる下地板とによって構築することで、どのような形態の屋根ふき材であっても安定して支持させることができる。そして、このような屋根パネルのコーナー部に上述したコーナー水切り材が取り付けられる。
【００２１】
このため、屋根が陸屋根のように平坦であっても、高い防水性能と排水性能を備えた屋根構造を、屋根パネルを設置するだけで容易に構築することができる。
【００２２】
また、防水性能を有する屋根ふき材に対して遮蔽板状部材（例えば太陽電池モジュール）を離隔して配置させることで、流下面に必要な排水能力を確保することができる。
【００２３】
そして、上述したような屋根パネルを、水平方向に延びる梁材の上に設置するだけで、防水性能と排水性能に優れた陸屋根を構築することができる。
【図面の簡単な説明】
【００２４】
【図１】本発明の実施の形態のコーナー水切り材が取り付けられた構成を示した説明図である。
【図２】本発明の実施の形態の屋根パネルの概略構成を示した分解斜視図である。
【図３】コーナー水切り材を取り付ける工程を示した説明図である。
【図４】屋根フレーム間を屋根ふき材で塞いだ状態におけるコーナー水切り材の取り付け位置を説明する断面図である。
【図５】太陽電池モジュールを取り付ける工程を説明する斜視図である。
【図６】建物ユニットの上に屋根パネルを設置する工程を説明する斜視図である。
【図７】屋根パネルの設置が完了したユニット建物の全体の概略構成を示した斜視図である。
【図８】実施例の屋根構造の構成を説明する断面図である。
【発明を実施するための形態】
【００２５】
以下、本発明の実施の形態について図面を参照して説明する。図１は、本実施の形態のコーナー水切り材６が取り付けられた屋根パネル１０のコーナー部を拡大して示した説明図である。
【００２６】
また、図２は、屋根パネル１０の概略構成を説明するための分解斜視図である。さらに、図７は、その屋根パネル１０が設置された建物としてのユニット建物Ｈの概略構成を示した斜視図である。
【００２７】
このユニット建物Ｈは、図７に示すように複数の建物ユニットＨ１，・・・を隣接させて構築される住宅などの建物である。建物ユニットＨ１は、図６に示すように、隅角部に配置される４本の鋼製の柱Ｈ１１，・・・と、柱Ｈ１１，Ｈ１１の上端間及び下端間をそれぞれ繋ぐ鋼製の梁材（Ｈ１２，Ｈ１３など）とによって直方体状に形成される。また、この建物ユニットＨ１は、柱材と梁材とがすべて溶接によって剛接合される鉄骨ラーメン構造である。
【００２８】
柱Ｈ１１，Ｈ１１の上端間に架け渡される水平方向に延びる梁材は、下階では天井梁であり、最上階では屋根梁となる。ここで、長辺側（桁側）の屋根梁を桁屋根梁Ｈ１２とし、短辺側の屋根梁を妻屋根梁Ｈ１３とする。
【００２９】
また、このユニット建物Ｈには、図７に示すように、２階の隅角部にバルコニーユニットＨ４が設置される。このバルコニーユニットＨ４によって、２階の隣接する建物ユニットＨ１から出入りができるテラスバルコニーが形成される。
【００３０】
一方、屋根パネル１０は、図２に示すように、側縁を形成するために略平行に配置される一対の屋根フレーム２，２と、屋根フレーム２，２間を塞ぐように配置される屋根ふき材４と、屋根ふき材４の上方を跨ぐように屋根フレーム２，２に固定される遮蔽板状部材としての太陽電池モジュール１とを主に備えている。
【００３１】
また、一対の屋根フレーム２，２の内側面側には、ガイド部３が形成される。このガイド部３は、一対の屋根フレーム２，２にそれぞれ固定される支持材３１，３１と、それらの支持材３１，３１に両側縁を支持させる下地板としての野地板３２とを有している。
【００３２】
屋根フレーム２は、図４に示すように、幅の広い下フランジ２１と、それよりも幅が狭い上フランジ２３と、平行に配置された下フランジ２１と上フランジ２３との側縁間を繋ぐウェブ２２とによって、断面視略Ｃ字形又はコ字形に形成される。
【００３３】
そして、この屋根フレーム２のウェブ２２の内側面に沿って、木桟などを支持材３１として取り付ける。この支持材３１は、屋根ふき材４の上面に形成される(排水)勾配に合わせて取り付けられる。
【００３４】
屋根フレーム２，２の内側面側にそれぞれ取り付けられた支持材３１，３１の上には、図２に示すように野地板３２の両側縁を載せる。野地板３２は、一定の厚さに成形されているので、支持材３１，３１の勾配と同じ勾配の上面が形成されることになる。
【００３５】
この野地板３２は、図４に示すように、釘３１ｂによって支持材３１に接合させる。そして、この野地板３２の端部と野地板３２に交差する側壁部としての屋根フレーム２とのコーナー部に、コーナー水切り材６が配置される。
【００３６】
このコーナー水切り材６は、図１，３に示すように、野地板３２の上に重ねられる設置片部６１と、設置片部６１の水下側の縁部から下方に向けて形成される導水部６２とを主に備えている。
【００３７】
設置片部６１は、野地板３２の上に載せる長方形の平板状部である。屋根フレーム２側の端部は、図４に示すように、ウェブ２２の内側面に突き当てることになる。
【００３８】
一方、導水部６２は、図１，３に示すように、流下面となる床面部６２３と、床面部６２３と設置片部６１との間を塞ぐ第１側面部６２１と、床面部６２３を挟んで第１側面部６２１に対向する第２側面部６２２とを有している。すなわち導水部６２は、断面視略Ｕ字形の溝状に成形される。
【００３９】
また、図３に示すように、導水部６２は、屋根フレーム２の下フランジ２１の上方に配置される水平部６２ａと、水平部６２ａの端部から軒樋面５に向けて垂下される鉛直部６２ｂとによって構成される。
【００４０】
このため、第１側面部６２１、第２側面部６２２及び床面部６２３は、側面視逆Ｌ字状に形成されることになる。また、第１側面部６２１の水平部６２ａの高さは、野地板３２の上面と下フランジ２１の上面との段差よりも小さくなる。
【００４１】
他方、第２側面部６２２の水平部６２ａの高さは、第１側面部６２１の水平部６２ａの高さよりも高くなる。また、第２側面部６２２の上端は、野地板３２の上面の高さよりも上方に突出している。
【００４２】
ここで、設置片部６１の屋根フレーム２側の端部からウェブ２２に沿って上方に向けて側片部６３が延伸される。側片部６３は、ウェブ２２内に収まる高さに形成されるとともに、導水部６２の端面となる部分も形成される。
【００４３】
さらに側片部６３には、複数の長穴６６，６６が穿孔されている。この鉛直方向に長い長穴６６，６６には、リベット６７，６７が挿入されて屋根フレーム２のウェブ２２との接合に使用される。
【００４４】
このようにしてウェブ２２に沿って水下側に向けて延伸される側片部６３と、屋根フレーム２に向けて延伸される第２側面部６２２とによって、平面視略直角の隅角部６４が形成される。
【００４５】
また、第２側面部６２２の上部には、側片部６３の上端の高さ位置から野地板３２に向けて下がる方向に傾斜するテーパー部６５が設けられる。すなわち導水部６２の水平部６２ａは、漏斗状に上方が広がった形状になる。
【００４６】
以上で説明したコーナー水切り材６は、鋼板を折り曲げ加工することによって成形することができる。また、いくつかのパーツに分けて成形し、組み合わせることによってコーナー水切り材６とすることもできる。この場合は、継目にコーキング材を塗布して止水性を高める。
【００４７】
そして、図２，４に示すように両側のコーナー部にコーナー水切り材６，６が設置された野地板３２の上面は、ポリエチレンルーフィングなどの防水シート３２ａで覆う。この防水シート３２ａは、屋根フレーム２の内側面にかかる位置まで敷設されて、野地板３２の全面が防水シート３２ａによって覆われることになる。
【００４８】
そして、この防水シート３２ａの上から屋根ふき材４を設置する。この屋根ふき材４は、例えば防水性能及び耐食性能に優れた溶融アルミニウムめっき鋼板などによって形成される。
【００４９】
屋根ふき材４は、野地板３２の上に重ねる長方形の平板状の平板部４０と、平板部４０の両側縁からほぼ垂直に立ち上げられる立壁部４１，４１と、立壁部４１，４１の上端からほぼ直角に外側に向けて張り出される上縁部４２，４２とが、一枚の板材を折り曲げ加工することによって形成される。
【００５０】
また、図１，２に示すように、屋根ふき材４の平板部４０の水下側の縁部は、斜めに張り出した水切り縁４３に形成される。さらに屋根ふき材４は、図２に示すように、上面となる平板部４０に屋根フレーム２の長手方向に向けた勾配が形成される。
【００５１】
すなわち、側面視略台形状の立壁部４１の高さは屋根フレーム２の長手方向の位置によって異なっており、それに繋がる平板部４０には勾配が形成されたことになる。この屋根ふき材４の平板部４０に形成される勾配は、支持材３１の取り付け勾配と一致している。この屋根ふき材４の平板部４０の上面が、雨水などの流下面となる。そして、この平板部４０は、野地板３２を支持体としている。
【００５２】
屋根ふき材４は、図４に示すように、上縁部４２を屋根フレーム２の上フランジ２３に載せて、ドリルねじ２４をねじ込んで上縁部４２及び上フランジ２３を貫通させることによって接合される。
【００５３】
そして、この屋根ふき材４の接合によって、コーナー水切り材６の設置片部６１が平板部４０によって野地板３２に押さえ付けられて、固定されたことになる。
【００５４】
このようにして防水性能が高い屋根ふき材４によって塞がれた屋根フレーム２，２間には、太陽電池モジュール１が配置される。太陽電池モジュール１の両側縁には、図２，５に示すように、屋根フレーム２，２に固定させるための受け金具１１Ａ，１１Ｂが取り付けられている。
【００５５】
この受け金具１１Ａ，１１Ｂは、屋根フレーム２に対して太陽電池モジュール１を傾斜させて取り付ける場合は長さ（高さ）を変える。ここでは、受け金具１１Ａの方を短くし、受け金具１１Ｂの方を長くしている。なお、太陽電池モジュール１を屋根フレーム２の上面に対して平行に取り付ける場合は、受け金具１１Ａ，１１Ｂの長さ（高さ）を同じにする。
【００５６】
太陽電池モジュール１は、図５に示すように、受け金具１１Ａ，１１Ｂに通したドリルねじ１３を屋根フレーム２の上フランジ２３にねじ込むことによって固定される。
【００５７】
このようにして取り付けられた太陽電池モジュール１の下面は、屋根ふき材４の上面からは離隔している。すなわち、屋根ふき材４の上面と太陽電池モジュール１の下面との間には、雨水などを流下させることが可能となる隙間が存在する。
【００５８】
以上のようにして工場などで製作された屋根パネル１０は、建築現場まで搬送されて、クレーンで吊り上げられて建物ユニットＨ１，・・・の上に並べて設置される。
【００５９】
続いて、複数の屋根パネル１０，・・・を並べて構築されるユニット建物Ｈの屋根構造について説明する。まず、図６に示すように、屋根パネル１０を一枚ずつ建物ユニットＨ１，・・・の上に並べていく。
【００６０】
屋根パネル１０は、複数の建物ユニットＨ１，・・・に跨って設置される。この屋根パネル１０の長さと架け渡す建物ユニットＨ１，・・・の数との関係は、任意に設定することができる。
【００６１】
本実施の形態では、図７に示すように一枚の屋根パネル１０を３つの建物ユニットＨ１，Ｈ１，Ｈ１の妻方向に架け渡して、軒先を庇状に張り出させている。
【００６２】
屋根フレーム２の下フランジ２１の連結穴（図示省略）に、図６に示すようにボルト２１ｂを通し、桁屋根梁Ｈ１２に設けられた穴Ｈ１２１に貫通させて、ナット２１ｃによって締結する。
【００６３】
以上のようにして複数の屋根パネル１０，・・・を設置することによって、陸屋根の全面が屋根パネル１０，・・・で覆われたユニット建物Ｈの外観を、図７の斜視図に示した。
【００６４】
次に、本実施の形態のコーナー水切り材６、並びにそれが取り付けられた屋根パネル１０及びその屋根パネル１０を設置して構築されるユニット建物Ｈの屋根構造の作用について説明する。
【００６５】
このように構成された本実施の形態のコーナー水切り材６は、野地板３２の端部と野地板３２に交差する屋根フレーム２のウェブ２２とのコーナー部に配置される。そして、野地板３２の上に重ねられる設置片部６１と、その水下側の縁部から下方に向けて形成される導水部６２とを備えている。
【００６６】
このコーナー水切り材６は、設置片部６１を野地板３２の上に置いて防水シート３２ａや屋根ふき材４を上から被せるだけで取り付けられるので、止水テープやコーキング材によって止水処理を行わなければならない場合に比べて作業が簡単である。
【００６７】
また、屋根フレーム２への固定も、側片部６３の長穴６６，６６で位置調整をしながらリベット６７，６７を使って行うことができるので、短時間で実施することができる。
【００６８】
さらに、側片部６３の水上側は、屋根ふき材４の立壁部４１の内側に挿し込まれた状態で覆われることになるので、側片部６３と立壁部４１との間でも、別途、止水テープなどによる止水処理を行う必要がない。
【００６９】
そして、陸屋根のように勾配が緩やか又は水平に近い屋根を形成する屋根パネル１０の屋根ふき材４の流下面を流下した雨水などがコーナー部に集まってきても、このコーナー水切り材６によって速やかに流下させることができる。
【００７０】
すなわち、図１の矢印で示したように、屋根ふき材４の平板部４０の上面となる屋根面（流下面）を流れる雨水は、大部分が水切り縁４３を通過してそのまま軒樋面５に向けて排水される。
【００７１】
一方、コーナー部に流れ込んだ水は、導水部６２の水平部６２ａの床面部６２３に落ちた後、鉛直部６２ｂを通って速やかに軒樋面５に流れ出す。このため、軒樋面５が屋根フレーム２に至る端まで形成されていなくても、コーナー部に集まった水を軒樋面５まで導ける充分な排水機能を備えた排水構造の屋根構造とすることができる。
【００７２】
また、導水部６２を、流下面となる床面部６２３とその両側に設けられる第１側面部６２１及び第２側面部６２２を有する構成とすることで、途中で漏水させることなく確実に軒樋面５に水を導くことができるようになる。
【００７３】
さらに、野地板３２への設置片部６１の端部からウェブ２２に沿って上方に向けて延伸される側片部６３を設けることによって、屋根面を流下する水量が増えても越流させることなく充分に排水を行うことができるようになる。
【００７４】
また、側片部６３でウェブ２２の内側面側を覆うことで、屋根フレーム２側に水がまわり込むことを防ぐことができる。しかもこのような止水構造を、防水テープやコーキング材による止水処理を行わなくても構築することができる。
【００７５】
そして、側片部６３と第２側面部６２２とによって隅角部６４が形成されていれば、勢いよく水切り縁４３から排出された水を、水下側に漏水させることなくスムーズに導水部６２に導くことができる。
【００７６】
また、屋根パネル１０は、防水性能を有する屋根ふき材４に対して太陽電池モジュール１が離隔して配置されている。さらに、屋根ふき材４の上面となる平板部４０には、屋根フレーム２の長手方向に向けて勾配が形成されている。
【００７７】
このため、屋根が陸屋根のように平坦であっても、高い防水性能と排水性能を備えた屋根構造を、屋根パネル１０，・・・を並べて固定するだけで容易に構築することができる。
【００７８】
すなわち、屋根パネル１０の下部は、屋根ふき材４によって覆われているので、高い防水性能を確保することができる。また、屋根ふき材４の上面には勾配が形成されているので、屋根パネル１０自体を水平に設置しても、平板部４０に形成された勾配によって雨水を流下させることができる。さらに、コーナー部に集まってきた水も、コーナー水切り材６によって速やかに軒樋面５側に流下させることができる。
【００７９】
また、屋根ふき材４の上面と太陽電池モジュール１の下面とは離隔しているので、太陽電池モジュール１が流下阻害になって排水が滞ることを防ぐことができる。さらに、太陽電池モジュール１の周囲に水が溜まらないため、故障や漏電の発生を防ぐことができる。
【００８０】
そして、屋根フレーム２のウェブ２２の内側面側に、所望する勾配に合わせたガイド部３を設けておくことで、その上に載せる屋根ふき材４の上面を所望する勾配に容易に形成することができる。
【００８１】
さらに、ガイド部３を、屋根フレーム２，２にそれぞれ固定される支持材３１，３１と、それらの支持材３１，３１に両側縁を支持させる野地板３２とによって構築すれば下地面が形成されることになる。支持体となる下地面があれば、例えば板厚の薄い（剛性低い）屋根ふき材４を使用しても、安定して支持させることができる。また、屋根ふき材が一枚板によって形成されていなくても、野地板３２の上で繋ぎ合わせていけばよいので、どのような形態の屋根ふき材であっても使用することができる。
【００８２】
また、屋根フレーム２の上面となる上フランジ２３に、面状に連続する一体の屋根ふき材４の上縁部４２を重ねる構成とすることで、一対の屋根フレーム２，２間が隙間なく屋根ふき材４で覆われることになって、防水性能を高めることができる。
【００８３】
そして、上述したような屋根パネル１０を、水平方向に延びる屋根梁（Ｈ１２，Ｈ１３）の上に設置するだけで、防水性能と排水性能に優れた陸屋根を構築することができる。
【００８４】
また、屋根パネル１０は、屋根梁（Ｈ１２，Ｈ１３）の上面に屋根フレーム２の下部をボルト２１ｂなどによって接合させることで、確実に固定することができる。
【実施例】
【００８５】
以下、前記した実施の形態とは別の形態の実施例の建物の屋根構造について、図８を参照しながら説明する。なお、前記実施の形態で説明した内容と同一乃至均等な部分の説明については、同一用語又は同一符号を付して説明する。
【００８６】
この実施例では、軒樋面５を挟んで屋根パネル１０の反対側となる軒先側の屋根構造について主に説明する。この軒先は、外壁８３から張り出されて庇部８０となっており、端面はパラペット７によって覆われている。
【００８７】
そして、この庇部８０の下面が、軒天井８によって塞がれる。この軒天井８は、図８の紙面直交方向に外壁８３に沿って延びている。また、この軒天井８の上面には、軒樋５０が敷設される。この軒樋５０には、図８の紙面直交方向に対して排水勾配が設けられるため、軒樋５０は位置によって軒天井８から離隔して浮いた状態になっている。
【００８８】
この軒樋５０は、最下流点において竪樋８２に接続される。この竪樋８２と軒樋５０との間には、集水器８１が介在される。すなわち、軒樋５０の最下流点の底面には排水口が穿孔され、その排水口から流れ落ちた水が、集水器８１を通って竪樋８２に流れ込む。
【００８９】
ここで、実施例で説明するコーナー水切り材６Ａは、前記実施の形態で説明したコーナー水切り材６の構成と略同様であるが、テーパー部６５Ａの構成だけが少し異なる。それ以外の構成については、同じになるので説明を省略する。
【００９０】
このテーパー部６５Ａは、前記実施の形態で説明したテーパー部６５と同様の傾斜面の上端縁に、鉛直方向に延びる上壁部６５１が追加された形状となっている。このように上壁部６５１を設けることによって、漏斗状の広がりを抑えながらも、水漏れを防ぐことができる。
【００９１】
そして、パラペット７の上面には、屋根パネル１０側に張り出される上カバー７１が取り付けられる。この上カバー７１は、コーナー水切り材６Ａに向けた下り勾配となっており、先端７１ａがコーナー水切り材６Ａ内に収容される。この先端７１ａの下方には、屋根ふき材４の水切り縁４３が配置される。
【００９２】
このように構成された実施例の屋根構造では、屋根パネル１０側に降った雨水は、屋根ふき材４の表面を流れて、水切り縁４３又はコーナー水切り材６Ａを介して軒樋５０に流れ込む。
【００９３】
また、パラペット７側に降った雨水は、上カバー７１の表面を流れて、コーナー水切り材６Ａを介して又は直接、軒樋５０に流れ込む。このため、屋根構造に降ったすべての雨水を、速やかに軒樋５０に集めて竪樋８２から排水させることができる。
【００９４】
なお、この実施例ではコーナー水切り材６Ａを配置した場合について説明したが、これに限定されるものではなく、前記実施の形態で説明したコーナー水切り材６を配置することも当然にできる。また、他の構成及び作用効果については、前記実施の形態と略同様であるので説明を省略する。
【００９５】
以上、図面を参照して、本発明の実施の形態を詳述してきたが、具体的な構成は、この実施の形態又は実施例に限らず、本発明の要旨を逸脱しない程度の設計的変更は、本発明に含まれる。
【００９６】
例えば、前記実施の形態では、建物としてユニット建物Ｈを例に説明したが、これに限定されるものではなく、在来工法などによって構築される建物にもコーナー水切り材６や屋根パネル１０を設置して屋根構造を構築することができる。すなわち、屋根パネル１０を使用せずに、コーナー水切り材６を下地板とケラバとのコーナー部に直接取り付けることもできる。
【００９７】
また、前記実施の形態では、水平部６２ａと鉛直部６２ｂとによって形成される導水部６２について説明したが、これに限定されるものではなく、水平部６２ａから斜めに延伸される導水部の形状であってもよい。
【００９８】
さらに、前記実施の形態では、複数枚の屋根パネル１０，・・・を並べることによって平坦な陸屋根を構築する場合について説明したが，これに限定されるものではなく、傾斜屋根にも本実施の形態のコーナー水切り材６や屋根パネル１０を設置することができる。
【００９９】
また、前記実施の形態では、１枚がユニット建物Ｈの一辺の長さに相当する長さの屋根パネル１０を使用する場合について説明したが、これに限定されるものではない。長手方向に複数の屋根パネルを繋ぐことで建物の一辺の長さを構成させることもできる。例えば、２枚の屋根パネルを長手方向に繋いで、図７に示す屋根パネル１０と同じ長さにすることもできる。
【０１００】
さらに、前記実施の形態では、支持材３１，３１と野地板３２とによって構成されるガイド部３を設ける場合について説明したが、これに限定されるものではなく、野地板３２の両側縁を直接屋根フレーム２，２に接合させてもよい。さらに、コーナー水切り材６の設置片部６１を直接載せるのは野地板３２に限定されるものではなく、防水シート３２ａの上に載せる構成であってもよい。また、下地板は野地板３２に限定されるものではない。
【０１０１】
そして、前記実施の形態では、遮蔽板状部材として太陽電池モジュール１を使って説明したが、これに限定されるものではない。例えば、雪の多い地域では、遮蔽板状部材として積雪用の遮蔽板を使用することができる。この遮蔽板を屋根パネルの上面に組み込むことによって、屋根フレーム２に取り付けられる野地板３２に作用する積雪荷重を低減させることができる。
【０１０２】
また、軒先などの雨水の吹き上げが起き易い箇所において、遮蔽板状部材としての遮蔽板を組み込むことができる。すなわち、屋根ふき材４の上方が遮蔽板で覆われていれば、屋根ふき材４上の雨水が吹き上がって隣接する屋根フレーム２，２間の隙間から漏れ落ちるのを未然に防ぐことができるので、屋根全体の防水性能が高められる。
【符号の説明】
【０１０３】
Ｈ              ユニット建物（建物）
Ｈ１２          桁屋根梁（梁材）
Ｈ１３          妻屋根梁（梁材）
１              太陽電池モジュール（遮蔽板状部材）
１０            屋根パネル
２              屋根フレーム
３              ガイド部
３１            支持材
３２            野地板（下地板）
４              屋根ふき材
４０            平板部（流下面）
６，６Ａ        コーナー水切り材
６１            設置片部
６２            導水部
６３            側片部
６４            隅角部
６２１          第１側面部
６２２          第２側面部
６２３          床面部
【要約】
【課題】勾配が緩やか又は水平に近い流下面であっても、コーナー部まで充分に排水が行えるコーナー水切り材を提供する。
【解決手段】流下面の支持体となる野地板３２の端部と野地板に交差する屋根フレーム２とのコーナー部に配置されるコーナー水切り材６である。そして、野地板の上方に重ねられる設置片部６１と、設置片部の水下側の縁部から下方に向けて形成される導水部６２とを備えている。
ここで、導水部は、流下面となる床面部６２３と、床面部と設置片部との間を塞ぐ第１側面部６２１と、床面部を挟んで第１側面部に対向する第２側面部６２２とを有する構成とすることができる。
【選択図】図１【図１】
0005588556.tif 000002
【図２】
0005588556.tif 000003
【図３】
0005588556.tif 000004
【図４】
0005588556.tif 000005
【図５】
0005588556.tif 000006
【図６】
0005588556.tif 000007
【図７】
0005588556.tif 000008
【図８】
0005588556.tif 000009